(57)【要約】【課題】装置の持ち主等が他のユーザに再生させたくないフォーマットを、他のユーザが再生することを制限した光ディスク装置を提供する。【解決手段】ユーザは、図３に示すメニュー画面（フォーマット選択画面）を確認しながら、物理フォーマット及び論理フォーマット中から再生を許可する物理フォーマット及び論理フォーマットを選択キーによって選択する。制御部６は、選択されたフォーマットを記憶部１１に記録する。そして、制御部６は、光ディスク１００マウント時にこのフォーマットを記憶部１１から取得し、光ディスク１００のフォーマットが取得したフォーマットに含まれているか否かを判断する。含まれていると判断すると、制御部６は、再生を許可する。含まれていないと判断すると、制御部６は、再生を禁止する。これにより、装置の持ち主等が他のユーザに再生させたくないフォーマットを制限できる。【選択図】図３
2007280529.tif 000002
【特許請求の範囲】
【請求項１】
装置本体にセットされている光ディスクにピックアップヘッドからレーザ光を照射し、該光ディスクからデータを読取り、該データを処理することによって再生を行う再生手段を備えた光ディスク装置において、
光ディスクに記録されるデータのデータ形式を示す論理フォーマットと、光ディスクの種別を示す物理フォーマットと、を予め記憶する記憶手段と、
前記論理フォーマット及び前記物理フォーマットの中から、前記再生手段の前記再生を許可する論理フォーマット及び前記物理フォーマットを選択する操作手段と、
画像を表示器に表示する表示手段と、を備え、
前記再生手段は、光ディスクのマウント時に、マウントされた該光ディスクの物理フォーマット及び論理フォーマットが前記操作手段によって選択された前記物理フォーマット及び前記論理フォーマットに含まれているか否かを判断し、含まれている場合は前記再生を許可し、含まれていない場合は前記再生を禁止し、
前記表示手段は、前記再生手段が前記再生を禁止した場合、再生禁止の表示を表示器に行うＤＶＤプレーヤ。
【請求項２】
装置本体にセットされている光ディスクにピックアップヘッドからレーザ光を照射し、該光ディスクからデータを読取り、該データを処理することによって再生を行う再生手段を備えた光ディスク装置において、
光ディスクに記録されるデータのデータ形式を示す論理フォーマットを予め記憶する記憶手段と、
前記論理フォーマットの中から、前記再生手段の前記再生を許可する論理フォーマットを選択する操作手段と、を備え、
前記再生手段は、光ディスクのマウント時に、マウントされた該光ディスクの論理フォーマットが前記操作手段によって選択された前記論理フォーマットに含まれているか否かを判断し、含まれている場合は前記再生を許可し、含まれていない場合は前記再生を禁止する光ディスク装置。
【請求項３】
前記記憶手段は、さらに、光ディスクの種別を示す物理フォーマットを予め記憶し、
前記操作手段は、さらに、前記物理フォーマットの中から、前記再生手段の前記再生を許可する物理フォーマットを選択し、
前記再生手段は、光ディスクのマウント時に、マウントされた該光ディスクの物理フォーマット及び論理フォーマットが前記操作手段によって選択された前記物理フォーマット及び前記論理フォーマットに含まれているか否かを判断する請求項２に記載の光ディスク装置。
【請求項４】
前記再生手段が前記再生を禁止した場合、再生禁止の表示を表示器に行う表示手段を備える請求項２又は３に記載の光ディスク装置。
【発明の詳細な説明】
【技術分野】
【０００１】
本発明は、CD、ＤＶＤ等の光ディスクに記録されているデータを読取ることにより再生を行う光ディスク装置に関するものである。
【背景技術】
【０００２】
従来、光ディスクに記録されているデータを読取ることにより再生を行う光ディスク装置が一般に普及している。
光ディスクに記録されているデータのデータ形式（論理フォーマット）には、例えばＤＶＤ−ＶＩＤＥＯ、ＤＶＤ−ＡＵＤＩＯ、ＶＩＤＥＯ−ＣＤ、又はＡＵＤＩＯ−ＣＤがある。
【０００３】
従来の光ディスク装置は、取扱い可能なデータ形式の光ディスクが装置本体にセットされれば、どの光ディスクでも再生することができた。
一方、設定された再生制限レベルに基づいて再生制限を行う光ディスク装置が提案されている（特許文献１参照）。
【特許文献１】特開２００１−１６７５１７公報
【発明の開示】
【発明が解決しようとする課題】
【０００４】
しかしながら、従来の光ディスク装置において、光ディスクが他のユーザによって装置本体で再生されることを、装置本体の持ち主が希望しない場合があった。例えば、暴力シーンやわいせつなシーン等の教育上不適切なシーンが記録されている光ディスクを子供が再生してしまう場合である。
この場合でも、光ディスクが装置本体にセットされれば再生が可能であることから、持ち主が装置本体を監視しない限り、持ち主は上記光ディスクが装置本体で再生されることを諦めなければならなかった。
【０００５】
従って、従来の光ディスク装置では、装置の持ち主等が他のユーザに再生させたくないフォーマットを、他のユーザが再生してしまうという問題があった。具体的には、光ディスクに記録されている教育上不適切なシーンを子供が制限なく再生してしまうという問題があった。
【０００６】
本発明はこのような従来の課題を解決しようとするものであり、装置の持ち主等が他のユーザに再生させたくないフォーマットを、他のユーザが再生することを制限した光ディスク装置を提供することを目的とする。
【課題を解決するための手段】
【０００７】
本発明の光ディスク装置は、前記課題を解決するために以下の構成を備えている。
【０００８】
（１）装置本体にセットされている光ディスクにピックアップヘッドからレーザ光を照射し、該光ディスクからデータを読取り、該データを処理することによって再生を行う再生手段を備えた光ディスク装置において、
光ディスクに記録されるデータのデータ形式を示す論理フォーマットを予め記憶する記憶手段と、
前記論理フォーマットの中から、前記再生手段の前記再生を許可する論理フォーマットを選択する操作手段と、を備え、
前記再生手段は、光ディスクのマウント時に、マウントされた該光ディスクの論理フォーマットが前記操作手段によって選択された前記論理フォーマットに含まれているか否かを判断し、含まれている場合は前記再生を許可し、含まれていない場合は前記再生を禁止する。
【０００９】
この構成において、光ディスクの論理フォーマットは、アプリケーションフォーマットとも呼ばれ、例えばＤＶＤ−ＶＩＤＥＯ、ＤＶＤ−ＡＵＤＩＯ、ＶＩＤＥＯ−ＣＤ、又はＡＵＤＩＯ−ＣＤがある。論理フォーマットには、ＭＰＥＧやｍｐ３等も含まれる。
この構成においては、ユーザは、再生を許可する光ディスクの論理フォーマットを操作手段で選択できる。選択を行うユーザは、主として装置本体の持ち主を想定している。
ここで、ユーザが例えば音声形式のＤＶＤ−ＡＵＤＩＯ及びＡＵＤＩＯ−ＣＤのみを選択すると、再生手段は映像音声形式のＤＶＤ−ＶＩＤＥＯ及びＶＩＤＥＯ−ＣＤの再生を禁止する。そのため、子供がＤＶＤ−ＶＩＤＥＯを再生しようと試みても、ＤＶＤ−ＶＩＤＥＯを再生できない。これにより、教育上不適切なシーンが光ディスクに記録されていても、子供がこれらを再生できなくなる。
従って、装置の持ち主等が他のユーザに再生させたくない論理フォーマットを制限できる。具体的には、子供が教育上不適切なシーンを再生することを制限できる。
【００１０】
（２）前記記憶手段は、さらに、光ディスクの種別を示す物理フォーマットを予め記憶し、
前記操作手段は、さらに、前記物理フォーマットの中から、前記再生手段の前記再生を許可する物理フォーマットを選択し、
前記再生手段は、光ディスクのマウント時に、マウントされた該光ディスクの物理フォーマット及び論理フォーマットが前記操作手段によって選択された前記物理フォーマット及び前記論理フォーマットに含まれているか否かを判断する。
【００１１】
この構成において、光ディスクの物理フォーマットには、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）がある。さらに、記録用光ディスクは、ＣＤ−Ｒ、ＤＶＤ−Ｒ、ＤＶＤ＋Ｒ等の追記用光ディスクと、ＤＶＤ−ＲＡＭ、ＣＤ−ＲＷおよびＤＶＤ−ＲＷ等の書換用光ディスクと、に分かれる。
ここで、違法コピーされたコンテンツを含む記録用光ディスクが装置本体で再生されることを、持ち主が希望しない場合もある。
この構成においては、ユーザは、再生を許可する光ディスクの物理フォーマットを操作手段で選択できる。
そして、ユーザが例えば再生専用光ディスクのみを選択すると、再生手段は記録用光ディスクの再生を禁止する。そのため、他のユーザが記録用光ディスクを再生しようと試みても、その記録用光ディスクを再生できない。これにより、違法コピーされたコンテンツが記録用光ディスクに記録されている場合、他のユーザがそのコンテンツを再生できなくなる。
従って、装置の持ち主等が他のユーザに再生させたくない物理フォーマットを制限できる。具体的には、他のユーザによる違法コピーされたコンテンツの再生を制限できる。
【００１２】
（３）前記再生手段が前記再生を禁止した場合、再生禁止の表示を表示器に行う表示手段を備える。
【００１３】
この構成においては、表示手段は、再生が禁止された旨をユーザに通知する。
これにより、子供や他のユーザは再生が禁止されたことを認識するので、装置の故障等の誤解を子供や他のユーザに与えないで済む。
なお、上記（１）（２）（３）に、以下の構成を追加しても良い。
前記操作手段は、認証が行われた後、前記物理フォーマット又は前記論理フォーマットを選択する。認証は、例えばパスワード認証、バイオメトリクス認証である。
ここでは、再生を許可する物理フォーマット又は論理フォーマットを選択する際に認証を行うので、それらの選択を行えるユーザを限定することができる。
【発明の効果】
【００１４】
この発明によれば、装置の持ち主等が他のユーザに再生させたくないフォーマットを制限できる。具体的には、子供が教育上不適切なシーンを再生することを制限できる。また、他のユーザによる違法コピーされたコンテンツの再生を制限できる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、所謂ＤＶＤプレーヤであり、装置本体１にセットされている光ディスク１００に対しデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部を制御する制御部６と、情報を表示する表示部９と、再生キー等が設けられている操作部１０と、記憶部１１と、を備える。
光ディスク１００は、ＣＤ、又はＤＶＤである。
【００１７】
なお、この実施形態では、光ディスク装置としてＤＶＤプレーヤを説明しているが、再生機能があればＤＶＤレコーダでも構わない。
【００１８】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
ＰＵヘッド２は、光ディスク１００の半径方向に延びる軸に移動自在に取り付けられている。スレッドモータ７が、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、および光ディスク１００の半径方向に移動させる。
【００１９】
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
【００２０】
再生回路３は、ＰＵヘッド２の複数の受光素子の出力に基づいてＲＦ信号を生成して増幅し、該ＲＦ信号を処理してＡＶ（Ａudio  Ｖisual）データを取り出す。ここで、取り出されるＡＶデータは、例えばＭＰＥＧ（Moving  Picture  Experts  Group）でエンコードされている。そして、そのＡＶデータは、再生回路３内蔵のバッファＲＡＭ（不図示）に一旦格納する。
バッファＲＡＭに格納されているＡＶデータは、制御部６からの読み出し要求に従って順次読み出され、デコーダ４に転送（出力）される。
【００２１】
デコーダ４は、バッファＲＡＭに記憶（格納）されているＡＶデータをデコードする。デコードされたＡＶデータは、デコーダ４内蔵のデコードＲＡＭ（不図示）に一旦格納された後、再び読み出され、D／A回路５に順次転送される。
【００２２】
D／A回路５は、デコーダ４によって伸長されたＡＶデータをアナログの再生信号に変換し、その再生信号を外部に出力する。
【００２３】
記憶部１１は、例えば半導体メモリ、ハードディスクで構成される。半導体メモリは、例えばＥＥＰＲＯＭである。記憶部１１は、光ディスクの物理フォーマット及び論理フォーマットを予め記憶する。光ディスクの物理フォーマットには、記録用光ディスクや再生専用光ディスクがある。さらに、記録用光ディスクは、追記用光ディスクと書換用光ディスクとに分かれる。一方、光ディスクの論理フォーマットには、例えばＤＶＤ−ＶＩＤＥＯ、ＤＶＤ−ＡＵＤＩＯ、ＶＩＤＥＯ−ＣＤ、又はＡＵＤＩＯ−ＣＤがある。論理フォーマットには、ＭＰＥＧやｍｐ３等も含まれる。
【００２４】
操作部１０は、装置本体に対する入力操作を行う複数の操作キー（不図示）や、図示していないリモコンから送信されてきた装置本体１に対するコマンド（命令）を受信するリモコン受信部（不図示）を有している。操作部１０は、ユーザにより操作された操作キーに応じたコマンドや、リモコン受信部で受信したコマンドを制御部６に伝送する。
操作キーには、後述の図３のメニュー画面を表示するためのメニュー画面表示キーと、再生を許可する物理フォーマット又は論理フォーマットを選択するための選択キーと、再生を行うための再生キーと、等がある。
【００２５】
表示部９は、例えば液晶パネルで構成されており、時刻、光ディスク装置１の設定状態などを表示する。
【００２６】
制御部６は、例えばマイクロコンピュータで構成される。
【００２７】
ここで、ＰＵヘッド２、再生回路３、デコーダ４、D／A回路５、及び制御部６が、本発明の「再生手段」に相当する。記憶部１１が、本発明の「記憶手段」に相当する。制御部６が、本発明の「表示手段」に相当する。表示部９が、本発明の「表示器」に相当する。
【００２８】
図２はファイナライズ済の記録用光ディスクの記録領域を示す図である。この記録用光ディスクの記録領域は、その内周から外周にかけてＰＣＡ（Power  Calibration  Area）、ＲＭＡ（Recording  Management  Area）、リードイン領域、データ領域、リードアウト領域に分けられている。
【００２９】
ＰＣＡは、レーザパワーの校正を行うための領域である。ＲＭＡは、光ディスク装置１にとって必要な記録管理情報が記録されている領域である。リードイン領域は、光ディスク上のデータ領域に記録されているデータのＴＯＣデータが記録されている領域である。このＴＯＣデータには、データが記録された日付、データ領域に記録されているデータの論理フォーマット情報、データ領域に記録されているデータの光ディスク上のアドレス情報などが含まれている。論理フォーマット情報は、データ領域に記録されているデータのデータ形式（論理フォーマット）が示された情報である。データ領域は、ｍｐ３形式の音声データやＭＰＥＧ形式の映像データ等が記録されている領域である。リードアウト領域は、データ領域に記録されているデータがファイナライズされた場合に作成される領域である。このファイナライズとは、記録用光ディスクが他の光ディスク装置と互換性を持つようにするために記録の形式を整えるためのプロセスである。リードアウト領域の外周は、未記録領域である。
【００３０】
なお、再生専用光ディスクの記録領域は、その内周から外周にかけてリードイン領域、データ領域、リードアウト領域に分けられている。この再生専用光ディスクが上記記録用光ディスクと相違する点は、ＰＣＡとＲＭＡとが存在しない点である。
【００３１】
図３は、表示部９に表示されるメニュー画面を示す図である。ユーザが操作部１０でメニュー画面表示キーを押下すると、そのコマンドが制御部６に伝送され、制御部６は図３に示すようなメニュー画面（フォーマット選択画面）を表示部９に表示させる。
【００３２】
そして、ユーザは、メニュー画面を確認しながら、物理フォーマット及び論理フォーマット中から再生を許可する物理フォーマット及び論理フォーマットを選択キーによって選択する。ここで、選択を行なうユーザは、主として装置本体１の持ち主を想定している。物理フォーマット及び論理フォーマットが選択されると、チェックボックスに印が付される。そして、制御部６は、選択された物理フォーマット及び論理フォーマットを記憶部１１に記録する。
【００３３】
なお、この実施形態では表示部９を装置本体１に内蔵させているが、装置本体１外部にあっても良い。例えば、上記メニュー画面を装置本体１外部の液晶モニターに表示させてもよい。
【００３４】
図４は、本発明の実施形態である光ディスク装置において光ディスクマウント時に制御部が行う動作を示すフローチャートである。光ディスク１００のマウント時とは、装置本体１に光ディスク１００がセットされた時や、装置本体１に光ディスク１００がセットされている状態で再生コマンドが入力された時等である。
【００３５】
制御部６は、光ディスク１００の物理フォーマットをＰＵヘッド２に調査させる（ｓ１）。詳述すると、制御部６は、光ディスク１００のＲＭＡをＰＵヘッド２に調査させて、記録管理情報を読取る（図２参照）。制御部６は、記録管理情報により光ディスク１００の物理フォーマットを判別する。ここで、再生専用光ディスクにはＲＭＡが存在しないので、制御部６は、記録用光ディスクと再生専用光ディスクとを判別できる。一方、ＤＶＤ−ＲＯＭとＣＤ−ＲＯＭとを判別する必要がある場合、制御部６は、光ディスク１００のリードイン領域をＰＵヘッド２に調査させて判別する。ＤＶＤ−ＲとＤＶＤ−ＲＷとを判別する必要がある場合なども、同様に、リードイン領域をＰＵヘッド２に調査させて判別する。
【００３６】
制御部６は、光ディスク１００に記録されているデータの論理フォーマットをＰＵヘッド２に調査させる（ｓ２）。詳述すると、制御部６は、光ディスク１００のリードイン領域をＰＵヘッド２に調査させて、ＴＯＣデータを読取り、ＴＯＣデータに記述されている論理フォーマット情報を取得する（図２参照）。そして、制御部６は、論理フォーマット情報から論理フォーマットを判別する。
【００３７】
制御部６は、ユーザの選択キーの操作によって予め選択された物理フォーマット及び論理フォーマットを（図３参照）、記憶部１１から取得する（ｓ３）。
【００３８】
制御部６は、ｓ１及びｓ２で調査した物理フォーマット及び論理フォーマットが、ｓ３で取得した物理フォーマット及び論理フォーマットに含まれているか否かを判断する（ｓ４）。
【００３９】
ｓ３で取得した物理フォーマット及び論理フォーマットに含まれていると判断すると、制御部６は、再生を許可し（ｓ５）、本処理を終了する。具体的には、装置本体１に光ディスク１００がセットされている状態で再生コマンドが入力されたのであれば、制御部６は、再生動作を装置本体１各部に開始させる。
【００４０】
一方、ｓ３で取得した物理フォーマット及び論理フォーマットに含まれていないと判断すると、制御部６は、再生を禁止し（ｓ６）、本処理を終了する。具体的には、装置本体１に光ディスク１００がセットされている状態で再生コマンドが入力されたのであれば、制御部６は、再生コマンドを無視する。
【００４１】
ここで、図３の場面においてユーザが例えば再生専用光ディスクのみを予め選択していた場合、ｓ６において制御部６は記録用光ディスクの再生を禁止する。そのため、他のユーザが記録用光ディスクを再生しようと試みても、その記録用光ディスクを再生できない。これにより、違法コピーされたコンテンツが記録用光ディスクに記録されていた場合、他のユーザがそのコンテンツを再生できなくなる。
従って、装置１の持ち主等が他のユーザに再生させたくない物理フォーマットを制限できる。具体的には、他のユーザによる違法コピーされたコンテンツの再生を制限できる。
【００４２】
一方、図３の場面においてユーザが例えば音声形式のＤＶＤ−ＡＵＤＩＯ及びＡＵＤＩＯ−ＣＤのみを予め選択していた場合、ｓ６において制御部６は映像音声形式のＤＶＤ−ＶＩＤＥＯ及びＶＩＤＥＯ−ＣＤの再生を禁止する。そのため、子供がＤＶＤ−ＶＩＤＥＯを再生しようと試みても、ＤＶＤ−ＶＩＤＥＯを再生できない。これにより、教育上不適切なシーンが光ディスク１００に記録されていても、子供がこれらを再生できなくなる。
従って、装置１の持ち主等が他のユーザに再生させたくない論理フォーマットを制限できる。具体的には、子供が教育上不適切なシーンを再生することを制限できる。
【００４３】
以上より、装置１の持ち主等が他のユーザに再生させたくないフォーマットを制限できる。
【００４４】
なお、この実施形態では図３において物理フォーマット及び論理フォーマットを表示部９に表示させているが、いずれか一方を表示して選択させる構成でも良い。この場合、ｓ１及びｓ２において制御部６は、物理フォーマット及び論理フォーマットの内の該一方を調査する。そして、ｓ４において制御部６は、物理フォーマット及び論理フォーマットの内の該一方を判断する。
【００４５】
また、本発明の実施形態は、以下の変形例を採用することができる。
【００４６】
（第１変形例）
ユーザが、再生を許可する物理フォーマット又は論理フォーマットを選択キーで選択する際に（図３参照）、認証を行っても良い。認証は、例えばパスワード認証、バイオメトリクス認証である。制御部６は、ユーザが認証をクリアすれば選択キーによる選択を許可し、ユーザが認証ＮＧであれば選択キーによる選択を禁止又は拒否する。
これにより、再生を許可する物理フォーマット又は論理フォーマットの選択を行えるユーザを限定することができる。
ここで、制御部６、及び操作部１０が、本発明の「操作手段」に相当する。
【００４７】
（第２変形例）
図４のｓ６の際、制御部６は、再生禁止の表示を表示部９に行っても良い。これにより、子供や他のユーザは再生が禁止されたことを認識するので、装置１の故障等の誤解を子供や他のユーザに与えないで済む。
【図面の簡単な説明】
【００４８】
【図１】本発明の実施形態である光ディスク装置の主要な構成を示すブロック図
【図２】ファイナライズ済の記録用光ディスクの記録領域を示す図
【図３】表示部９に表示されるメニュー画面を示す図
【図４】本発明の実施形態である光ディスク装置において光ディスクマウント時に制御部が行う動作を示すフローチャート
【符号の説明】
【００４９】
１−光ディスク装置
２−ピックアップヘッド
３−再生回路
４−デコーダ
５−D／A回路
６−制御部
９−表示部
１０−操作部
１１−記憶部
１００−光ディスク
【図１】
2007280529.tif 000003
【図２】
2007280529.tif 000004
【図３】
2007280529.tif 000005
【図４】
2007280529.tif 000006